(57)【要約】【課題】  予め定められた固定の文書管理システムのフォルダのみに対して文書を登録することしかできなかった。【解決手段】  本発明は、ＩＤ番号情報とそれに対応する文書管理システムのフォルダを予め登録しておくことで、文書を登録する際に入力したＩＤ番号から対応する文書管理システムのフォルダを決定し、スキャン画像を自動的に該当する文書管理システムのフォルダに格納する。【選択図】  図１８
2006190081.tif 000002
【特許請求の範囲】
【請求項１】
文書管理システムと接続された文書登録システムであって、ＩＤ番号情報を入力するＩＤ入力手段と、
前記ＩＤ入力手段により入力されたＩＤ番号情報に基づいて、格納先となる文書管理システムのフォルダを決定し、スキャンで得られた画像を自動的に前記文書管理システムのフォルダに格納する格納手段と
を有することを特徴とする文書登録システム。
【請求項２】
ＩＤ番号情報と、格納先となる前記文書管理システムのフォルダとの対応付けを設定する設定手段を更に有することを特徴とする請求項１に記載の文書登録システム。
【請求項３】
文書管理システムと接続された文書登録装置を制御するための文書登録方法であって、ＩＤ番号情報を入力するＩＤ入力ステップと、
前記ＩＤ入力ステップにより入力されたＩＤ番号情報に基づいて、格納先となる文書管理システムのフォルダを決定し、スキャンで得られた画像を自動的に前記文書管理システムのフォルダに格納する格納ステップと
を有することを特徴とする文書登録方法。
【請求項４】
文書管理システムと接続された文書登録装置を制御するためのコンピュータプログラムであって、ＩＤ番号情報を入力するＩＤ入力ステップと、
前記ＩＤ入力ステップにより入力されたＩＤ番号情報に基づいて、格納先となる文書管理システムのフォルダを決定し、スキャンで得られた画像を自動的に前記文書管理システムのフォルダに格納する格納ステップと
の各ステップをコンピュータに実行させるためのプログラムコードを含むことを特徴とするコンピュータプログラム。
【発明の詳細な説明】
【技術分野】
【０００１】
本発明は、ネットワークに接続された複数の利用者が共有するスキャナデバイスより画像を自動的に文書管理システムに格納する文書登録システムに関する。
【背景技術】
【０００２】
従来、スキャナデバイスにて原稿をスキャンし、スキャンした画像を自動的に文書管理システムに格納する文書登録システムが提案されている。
【特許文献１】特開平０９−０１６６１９号公報
【発明の開示】
【発明が解決しようとする課題】
【０００３】
しかしながら、上記従来技術では、予め定められた固定された文書管理システムのフォルダのみに対して文書を登録することしかできないという問題があった。
【課題を解決するための手段】
【０００４】
上記課題を解決するために、本発明は、ＩＤ番号情報とそれに対応する文書管理システムのフォルダを予め登録しておくことで、文書を登録する際に入力したＩＤ番号から対応する文書管理システムのフォルダを決定し、スキャン画像を自動的に該当する文書管理システムのフォルダに格納する。
【発明の効果】
【０００５】
本発明によれば、ＩＤ番号に応じて、スキャン画像の登録先となる文書管理システムのフォルダを動的に変えることができるという効果を奏する。
【発明を実施するための最良の形態】
【０００６】
（実施例１）
以下、図面を用いて本発明の実施例について説明する。
【０００７】
図１は、本提案による文書登録システムを導入したネットワークシステム構成図を示す。ここでは、ネットワーク上に次のリソースを配置されている。ユーザ端末（１００、１０１、１０２）、ファクス受信、スキャナ機能を有するデバイス（１１０）、本発明による文書登録システム（１２０）、ファイルサーバ（１３０）、文書管理システム（１４０）。
【０００８】
各ユーザは、ファイルサーバ、文書管理システムを用いて、各種文書の共有を図っている。文書の種類としては、一般的な文書作成アプリケーションによって作成される文書、スキャナで読みこまれた文書、ファクス受信された文書等各種混在している。
【０００９】
ファイルサーバ１３０では、一時的に使用される文書を中心に管理され、文書管理システム１４０では、長期に渡り保存が必要な文書を中心に管理され、必要な時に所定の文書を検索できるようになっている。
【００１０】
ここで、文書登録システム１２０は、デバイスサイドで生成される文書（ファックス受信文書、スキャナ読取文書等）、ファイルサーバで管理された文書を、所定のルールで自動的に文書管理サーバに登録する機能、文書取得時、文書解析時に得られる情報をもとに、検索情報として有効な情報を属性情報、検索情報として文書管理システムに登録する機能等をもたせることで、文書管理業務を支援するシステムとなっている。
【００１１】
また、手動で、各種属性情報を付加して文書管理システムに文書を登録させる機能、すでに文書管理システムに登録された文書の属性情報等を再編集できる機能等を提供している。
【００１２】
図２は、文書登録システム１２０におけるシステムブロックを示した図である。
【００１３】
＜文書入力処理＞
まず、文書入力処理部について説明する。
【００１４】
１１０はファクス受信、スキャナ機能を有するデバイスであり、デバイス制御部２１０により文書データ等のハンドリングがなされる。
【００１５】
デバイス制御部２１０においては、デバイス側から文書データを吸い上げたり、デバイス側から送信される文書データを受け取ったりする処理がなされる。
【００１６】
１３０はファイルサーバ等における文書が格納されたフォルダであり、フォルダ制御部２１２により文書データ等のハンドリングがなされる。
【００１７】
フォルダ制御部２１２においては、所定のフォルダを例えば定期的に監視し、文書の取得処理等を行なっている。
【００１８】
２０１は本システムにおける操作部となっており、各種システムの設定、操作を行なえるようになっているが、さらに、文書データをインポートする形態で、２１４ファイル制御部において、入力処理させることができるようになっている。
【００１９】
２２０は入力制御部であり、前記各種形態に対応した文書入力処理制御部を、同等のインターフェースによって制御できるようになっている。
【００２０】
＜システム内部処理＞
次に、システム内に配置される各種処理部について説明する。
【００２１】
２２１は、ジョブ制御部であり、後述するジョブの処理を行なう。
【００２２】
２２２は、文書データ処理部であり、画像フォーマット変換処理等を行なう。
【００２３】
２２３は、インデクス処理部であり、後述するインデクス処理に関する制御を行なう。
【００２４】
２２４は、データ管理部であり、後述するテンプレート、ワークシート、ジョブ等に関するデータを２５０のデータエリアに保存、管理する。
【００２５】
２２５は、ＯＣＲ制御部であり、２５１に示す辞書データを用いて文字認識の精度を向上させている。
【００２６】
２２６は、フォーム解析部であり、２５２に示すフォームデータを管理、運用することで、各種フォーム、例えば帳票ファーマットの違い等を自動的に識別できるようになっている。
【００２７】
２４０は、メール処理部であり、主に、自動的に文書登録処理を行う際に、あらかじめ登録されたあて先にその結果を通知するために使用される。
【００２８】
＜文書管理システムアクセス＞
続いて、文書管理システムとのインターフェース部について説明する。
【００２９】
２２７は、文書管理システム制御部であり、文書管理システム１４０の種類に応じて提供されるアクセス制御部２３０を介して、文書、属性登録なり、すでに登録された文書属性なりの処理を行なう。
【００３０】
２５３では、文書管理システムにアクセスするにあたって必要なアクセスデータを管理し、
２５４では、文書管理システムへ登録するデータを一時的に保存するデータエリアであり、文書登録時に、所定の画像変換等の文書データ処理が必要な場合、このエリアをバッファとして管理運用される。
【００３１】
図３は、本システムを運用する際の、基本操作フローを示す図である。
【００３２】
＜基本的処理＞
まず、手動で文書を取得と、インデックス（属性情報）入力を行ない、それらを文書管理システムに登録する基本的な流れを説明する。
【００３３】
Ｓ１００で、後述するテンプレートの作成、登録を行なう。このテンプレートにおいて、文書登録対象となる文書管理システムのアクセス情報、管理されるスキーマ情報が管理される。
【００３４】
Ｓ１０１で、作成されたテンプレートを元に、後述するワークシート作成、登録を行なう。このワークシートにおいて、実際に属性登録を行なうフィールド等を設定する。また、本システムにおいては、取得した文書の管理、文書に対して付加する属性情等は、このワークシートを管理テーブルとして一連の処理が実行、管理されるようになっている。
【００３５】
Ｓ１０２で、作成されたワークシートを表示させる。
【００３６】
Ｓ１０３で、文書入力が実行されると、Ｓ１０４で、ワークシート上にその情報が登録管理され、Ｓ１０５で、必要なインデクス（属性）情報の入力、管理を行なう。
【００３７】
Ｓ１０６で、更に文書入力を行なう必要がある場合は、Ｓ１０３に処理を遷移させ、所定の文書を取得したならば、Ｓ１０７で、一連の処理で取得、設定したデータを、文書管理システムへ登録処理する。
【００３８】
＜ワークシート選択による処理＞
すでに、ワークシートが登録されている場合、Ｓ１１０で、所定のワークシートを選択し、前述のＳ１０２の処理へ遷移する。
【００３９】
＜入力ボタンを用いた処理＞
すでに、入力起動ボタン設定がなされている場合は、Ｓ１２０で、その入力ボタンを押下することにより、Ｓ１２１で、設定された条件に応じた文書取得処理が行なわれ、Ｓ１２２で、各文書に応じて必要なインデックス入力をまとめで行なうことにより、Ｓ１２３で、一連の処理で取得、設定したデータを、文書管理システムへ登録処理する。
【００４０】
＜ジョブ実行処理＞
すでに、ジョブが登録されている場合は、Ｓ１３０で、登録されているジョブを選択し、Ｓ１３１で、所定のジョブを実行させることができるようになっている。
【００４１】
＜振りわけ設定登録処理＞
Ｓ１４０で、ＩＤ番号情報とそれに対応する文書管理システムのフォルダを設定する。
【００４２】
図４は、テンプレート作成処理フローを示す。
【００４３】
Ｓ２００で、まず運用する文書管理システムへ接続させる。
【００４４】
Ｓ２０１で、文書を格納させるフォルダ等に設定されているスキーマ情報（検索用インデックスとして運用可能な情報）等を取得する。
【００４５】
Ｓ２０２で、文書管理システムへの接続情報なり、スキーマ情報を一括管理するテンプレートとして、識別情報（テンプレート名）を付加して保存する。
【００４６】
図５は、ワークシート作成処理フローを示す。ここでは、先に作成されたテンプレートに対して、実際の運用を行なうためのワークシートの作成、登録を行なう。
【００４７】
Ｓ３００で、まず運用対象の文書管理システム情報が管理されたテンプレートを選択する。
【００４８】
Ｓ３０１で、テンプレートにて管理された元のスキーマ情報に対して、運用上必要のないものがあれば、そのフィールド選択等の編集を行なえるようになっている。
【００４９】
Ｓ３０２で、その編集作業を行なえるようになっているが、場合によっては、領域（フィールド）の拡張を指示できる。
【００５０】
Ｓ３０３で、所定の設定等を確認して内部的にワークシート作成処理を行い、
Ｓ３０４で、識別情報（ワークシート名）を付加して保存する。
【００５１】
図６は、フォーム登録処理フローを示す。所定のフォームのタイプを解析するために、基準となるフォームデータをここで登録処理する。
【００５２】
Ｓ４００で、フォーム解析時の、基準となるイメージを取得する。
【００５３】
Ｓ４０１で、各種フォームを管理するフォーム管理シート上に、先に入手したイメージデータを登録させ、その管理下におく。
【００５４】
Ｓ４０２で、実際のフォーム解析処理をするフォーム解析部２２６にデータを渡し、所定の解析処理を行い、必要なデータをフォームデータとして２５２で管理する。
【００５５】
Ｓ４０３で、新規追加されたフォームデータを識別情報（フォーム登録名）を付加して保存する。
【００５６】
図７は、エリア登録処理フローを示す。ここでは、画像データ上に所定のエリアを指定し、その内部を文字認識なりバーコード認識なりさせる設定フローを示している。
【００５７】
Ｓ５００では、まず基準となるフォームを選択する。
【００５８】
Ｓ５０１では、解析対象とする領域指定を行い、Ｓ５０２では、そのエリアの解析モードを指定する。ここでの解析モードは、基本的には、より認識率を向上させるための詳細な条件を設定する。英文、和文の指定、バーコード認識等の解析エンジンの指定等も合わせてここで、エリア毎に指定可能になっている。
【００５９】
Ｓ５０３では、他のエリア指定が必要ならば、Ｓ５０１に遷移させる。
【００６０】
Ｓ５０４では、ここで設定されたデータを、フォーム登録データに対する付加情報として登録させている。
【００６１】
図８は、入力起動ボタン設定処理フローを示す。入力起動ボタンは、各種データソースからの入力処理を、ボタン押下により一括処理させるためのものであり、ここでは、その動作設定処理について示している。
【００６２】
Ｓ６００では、まずワークシートを選択する。
【００６３】
Ｓ６０１では、入力ソースを選択する。
【００６４】
Ｓ６０２は、スキャナ入力の場合である。このときは、Ｓ６０３で、スキャナに対する各種読取モードを設定する。
【００６５】
Ｓ６０４は、フォルダ入力の場合である。このときは、Ｓ６０５で、フォルダに対するアクセス権設定なり、フォルダに対するアクセス条件（ポーリング間隔等）の設定をする。
【００６６】
Ｓ６１０では、設定された条件を登録する。設定条件に応じて、ボタン名等を変えることにより、複数のボタンを使い分けて運用することができるようになっている。
【００６７】
図９は、入力起動ボタン処理フローを示す。ここでは、設定された入力起動ボタンを押下時の、処理フローについて示している。
【００６８】
Ｓ７００では、まず設定モードを確認する。
【００６９】
Ｓ７１０は、スキャナ設定された場合の処理であり、Ｓ７１１で所定の条件に従ったスキャンを行い、Ｓ７１２でワークシートへの文書保存までを行っている。
【００７０】
Ｓ７２０は、フォルダ入力設定された場合の処理であり、Ｓ７３１で所定の条件に従ったフォルダの内容のチェックを行い、その結果、Ｓ７２３で文書の存在が確認された場合は、Ｓ７２３で文書取得を行い、Ｓ７２４でワークシートへ文書保存する。
【００７１】
Ｓ７２５は、定期的にフォルダ入力の確認を行なう設定時の処理であり、中止が指示された場合は、処理を中断し、そうでなければ、再度Ｓ７２１に遷移し、定期的に指定フォルダの内容を確認処理する。
【００７２】
図１０は、インデクシング処理フローを示す。ここでは、インデクス処理全般に渡る処理フローについて示している。
【００７３】
Ｓ８００では、自動処理か否かで処理を分岐している。自動処理の場合は、Ｓ８１５へ処理を遷移させ、そうでない場合は、順次ワークシート、フォームの選択をする。
【００７４】
Ｓ８０１では、まずワークシートの選択を行なう。
【００７５】
Ｓ８０２では、そのまま手動でインデックス情報を入力する場合、Ｓ８０３で手動でのインデックス入力をし、Ｓ８０４でまだ処理すべき文書があればＳ８００に戻り、なければ処理を終了する。
【００７６】
Ｓ８１０では、自動フォーム検出機能を利用するか否かで処理が分岐され、Ｓ８１１でフォーム検出処理を行った結果、所定のフォームが検出された場合はＳ８１２からＳ８２０に処理を遷移させ、自動フォーム検出機能を利用しない場合、フォーム検出できなかった場合は、Ｓ８１３において、手動で所定のフォームを選択する。
【００７７】
Ｓ８２０では、まず解析対象のエリアの有無を確認する。
【００７８】
Ｓ８２１では、当該文書におけるすべての設定されたエリアの処理が終了していれば、Ｓ８０４に遷移し、次文書の処理に移行する。
【００７９】
Ｓ８２２では、所定の設定に準拠したエリア解析する。
【００８０】
Ｓ８２３では、その結果により処理が分岐する。異常終了した場合は、Ｓ８２４で、まず自動処理モードかを判断して、自動処理モードでなければＳ８２５で手動入力させ、自動処理モードの場合は、暫定処理を行なう。暫定処理としてはＮＧマークをつけたり、デフォルトとして規定した値を設定したりすることができるようになっている。
【００８１】
Ｓ８３０では、エリア処理した結果を一旦保存し、Ｓ８２０へ処理を遷移させることで、一連の処理を継続処理させるようになっている。
【００８２】
Ｓ８１５は、自動インデクス処理の前処理である。ワークシート自体はあらかじめ設定されていることを前提としているが、フォーム自体もあらかじめ設定されている場合は、そのままＳ８１６でＯＫとなり、Ｓ８２０に処理が遷移される。フォームを自動選択させる設定になっている場合は、この前処理においてフォーム検出処理をする。所定のフォームが検出された場合は、Ｓ８１６でＯＫとなり、Ｓ８２０に処理が遷移されるが、検出されなかった場合は、Ｓ８１７の後処理に遷移し、処理ができなかった文書として、ワークシート上に当該文書が管理されて、次文書の処理として、Ｓ８０４に処理が遷移される。
【００８３】
図１１は、リリース（データ登録）処理フローを示す。ここでは、文書情報等を、文書管理システムへのデータ登録処理について示している。
【００８４】
Ｓ９００では、自動リリースか否かで処理を分岐している。
【００８５】
Ｓ９０１は、自動リリースの場合の処理であり、まず所定の設定情報を取得し、Ｓ９０２で所定の文書管理システムの格納フォルダへ接続処理を行い、Ｓ９２０に処理を遷移させる。
【００８６】
Ｓ９１０は、自動リリースでない場合の処理であり、まずワークシート上に管理されている文書から、登録対象の文書の選択、登録後の文書の扱い（削除するか否か、等）を設定できるようになっている。
【００８７】
Ｓ９１１では、設定された文書管理システムへログイン処理し、文書を格納するフォルダを指定する。
【００８８】
Ｓ９１２では、文書登録時のオプション設定ができるようになっており、文書登録処理に関する実行ログをとる指定をしたり、文書登録時の文書フォーマットの変換設定をしたりできるようになっている。
【００８９】
Ｓ９２０は、文書管理システムへ登録する文書情報等を一旦内部の出力用データエリア２５４に保存する処理であり、Ｓ９３０は、フォーマット変換、もしくは、イメージデータのＯＣＲ解析結果を付加する処理等が指示された場合の処理であり、設定条件に従って、Ｓ９３１で所定の画像処理等を行う。
【００９０】
Ｓ９４０で、準備された文書データ等を、所定の文書管理システムのフォルダへ登録処理を行い、Ｓ９５０において、文書登録後の文書削除指示がなされていた場合、Ｓ９５１においてその処理を行い、全体の処理を終了する。
【００９１】
図１２は、ジョブ作成処理フローを示す。ここでは、各種処理を一括処理するためのジョブの設定を行なう手順を示している。
【００９２】
Ｓ１０００は、自動文書取得ジョブ設定の場合であり、Ｓ１００１において、使用するワークシートの設定、ならびにスキャナなり、フォルダからの文書取得のために必要な設定を行なう。
【００９３】
Ｓ１０１０は、自動インデクスジョブ設定の場合であり、Ｓ１０１１において、ワークシート、フォーム等、インデクス処理を自動的に処理するに必要な項目を設定する。
【００９４】
Ｓ１０２０は、自動リリース（文書登録）ジョブ設定の場合であり、Ｓ１０２１において、処理の対象となるワークシート、文書登録先（フォルダ）、文書の扱い等、自動リリース処理するに必要な情報を設定する。
【００９５】
Ｓ１０３０では、前記設定情報を、識別情報（ジョブ名）を付加して保存する。なお、ジョブとしては、前記各種ジョブを複数組み合わせた形態で定義、実行できるようになっている。
【００９６】
図１３は、ジョブ実行処理フローを示す。ここでは、作成されたジョブの実行のあり方を示している。
【００９７】
Ｓ１１００では、まずジョブを選択する。
【００９８】
Ｓ１１０１では、そのジョブを起動する。
【００９９】
Ｓ１１００は、自動文書取得ジョブが設定されている場合の処理であり、Ｓ１１１１で設定に従った文書取得処理を行い、Ｓ１１１２で、読み取った文書をワークシート上に管理、保存する。
【０１００】
Ｓ１１２０は、インデックスジョブが設定されている場合の処理であり、Ｓ１１２１において、設定された条件に従って自動インデクス処理をする。
【０１０１】
Ｓ１１３０は、自動リリース（文書登録）ジョブが設定されている場合の処理であり、Ｓ１１３１において設定された条件に従って自動リリース処理をする。
【０１０２】
文書取得から、文書登録までをジョブに設定することで、一連の処理を一括処理させることが可能になっている。
【０１０３】
図１４は、拡張されたデバイス制御部のブロック図を示す。本システムにおいては、デバイス側から文書を取得する方式として、各種形態に柔軟に対応できるようになっている。
【０１０４】
デバイス制御部Ａ（２１０）は、デバイス側にアクセスして、文書を取得する形態に対応させている。この制御部を用いて、同等のアクセス方式に対応した複数デバイス（１１０，１１１）から文書データを取得できるようになっている。
【０１０５】
デバイス制御部Ｂ（２１１）は、デバイス側からのアクセスにより、文書を取得する形態に対応させている。この場合も、同等のアクセス方式に対応した、任意のデバイス（１１２，１１３）から、文書を取得できるようになっている。
【０１０６】
また、この形態の場合、独自にデータフォルダ３００を設けて、複数のデバイスからの同時の文書転送処理に対応している。更には、このデータフォルダを、階層を有するフォルダとして構成することを可能として、デバイス側からフォルダパスを指定しての文書転送処理も可能としている。
【０１０７】
なお、この場合のアクセスプロトコルとして、汎用的なファイル転送プロトコルを採用することにより、デバイス側の対応を容易にし、一般のコンピュータからも文書転送させることも可能になる。
【０１０８】
更には、それぞれの場合において、独自の手順により、文書データ以外にも、当該文書データに関連した付加（属性）情報（例えば、各文書のオーナー情報、ファクス受信文書なら送信元情報等）を取得し、そのデータをシステム内で運用できる手段も用意している。
【０１０９】
なお、独自の手順によらずとも取得可能な接続デバイスに関する情報も、複数のデバイスを入力デバイスとするとき、文書に対する付加情報として利用できるようになっている。
【０１１０】
入力制御部２２０においては、各デバイス制御部から取得された文書データ等のデータを、統一的にハンドリングできるようになっている。
【０１１１】
図１５は、拡張された文書管理システム制御部のブロック図を示す。本システムにおいては、市場に存在する各種文書管理システムに対して、デバイス等から取得される文書データ、ならびにその付加情報を登録できるようなシステムを柔軟に構成できるようになっている。
【０１１２】
ここでは、文書管理システムＡ（１４０）に対しては、アクセス制御部Ａ（２３０）、文書管理システムＢ（１４１）に対しては、アクセス制御部Ｂ（２３１）を提供し、それぞれの文書管理システムに対応した例を示している。
【０１１３】
文書管理システムの種類によって、そのアクセス手段なり、扱える文書のファイル形式が異なっているのが一般的である。
【０１１４】
ここでは、各文書管理システムをアクセス、運用するにあたって必要な情報を、２５３において管理データとして管理し、システム内データとして運用されるようになっている。
【０１１５】
図１６は、リリース処理部詳細フローを示す。ここでは、文書管理システムへの文書データ等の登録（リリース）処理に関して補足する。
【０１１６】
Ｓ１２００は、リリース処理を開始するにあたっての初期設定処理であり、終了通知の要否の確認、終了通知先の情報取得処理等を行なう。
【０１１７】
Ｓ１２１０は、データ登録すべきデータの有無の確認処理であり、無ければＳ１２２０へ処理を遷移する。
【０１１８】
Ｓ１２１１は、文書管理システムへのデータ登録処理であり、
Ｓ１２１２では、その結果に応じて、ＯＫならばＳ１２１０へ、ＮＧならばＳ１２１３へ処理を遷移させる。
【０１１９】
Ｓ１２１３は、文書管理システムへのデータ登録がエラーした場合の処理であり、ここでは登録エラー文書として所定のワークシート上に文書等のデータを再登録し、追って手動による再登録処理ができるようになっている。
【０１２０】
Ｓ１２２０では、終了通知の要否を判断し、必要なければ処理を終了する。
【０１２１】
Ｓ１２２１では、データ登録処理の結果を確認し、エラーがなければあらかじめ登録された登録通知者あて先へ、メールにて新規に文書登録された旨通知処理を行い、エラーが発生した場合は、あらかじめ登録されたエラー通知者あて先へ、エラー情報を通知処理されるようになっている。
【０１２２】
図１７は、自動文書処理フローを示す。ここでは、デバイス等から送られてくる文書データを、自動的に文書登録までの処理をさせるフローに関して説明する。
【０１２３】
Ｓ１３００では、後述する自動文書処理フローを実行するにあたって、事前に必要となる各種設定をし、この自動文書処理ルーチンの起動を行なう。
【０１２４】
ここで行なう設定項目には、文書入力処理に関する設定、フォーム登録処理用に運用されるフォルダ、運用される属性の設定、ならびに各属性に対応した処理を行なうためのワークシートの設定、自動インデクスを行なうために運用されるフォームの設定等がある。
【０１２５】
なお、運用される属性の例としては、以下のものがある。デバイスの種類、フォルダパス（ファイルサーバ１３０、デバイス制御部用データフォルダ３００）、文書のオーナー情報、ＩＤ情報、所定のエリア解析結果、など。
【０１２６】
Ｓ１３０１では、文書入力の確認を行なっている。ここでは、デバイスからデバイス制御部経由で入力される文書データ、デバイス等からフォルダ制御部経由で入力される文書データを統一的に扱えるようになっている。
【０１２７】
Ｓ１３０２では、入力が確認された文書が、どのルートで入ってきたかをまず確認し、Ｓ１３１０で、フォーム登録用フォルダからの文書と確認されれば、Ｓ１３１１で、自動的にフォーム登録用処理部を起動し、フォーム登録処理ができるようになっている。
【０１２８】
Ｓ１３２０では、各種属性情報の解析をし、得られた属性情報に対応した処理が定義されているか否かを確認する。
【０１２９】
属性情報としては、入力制御部２２０の処理で、すでに得られる情報と、この段階で自動インデクス処理に相当する処理を呼んで、フォーム解析してターゲットとする所定のエリアから得られる情報がある。
【０１３０】
Ｓ１３２１では、もし対応する処理が検出されなかった場合に、Ｓ１３２３で当該文書一時保存処理し、追って手動で処理できるようになっている。
【０１３１】
この後は、Ｓ１３２４で、自動リリース処理に必要な情報を設定するとともに、ＩＤ番号より、格納先となる文書管理システムのフォルダを決定し、Ｓ１３３０で、必要に応じて自動インデクス処理を行い、Ｓ１３４０で、自動リリース処理を行い、Ｓ１３２４にて決定した文書管理システムのフォルダへ文書を格納し、Ｓ１３５０で、自動文書処理の終了要求がなされていれば処理を終了させ、そうでなければ、Ｓ１３０１に戻り、処理を継続する。
【０１３２】
図１８は、振り分け設定登録処理フローを示す。ここでは、ＩＤ番号に対応した文書管理システムのフォルダを登録するまでの処理をさせるフローに関して説明する。
【０１３３】
Ｓ１４００で、ＩＤ番号を入力する。
【０１３４】
Ｓ１４０１で、格納先となる文書管理システムのフォルダを入力する。
【０１３５】
Ｓ１４０３で、Ｓ１４００とＳ１４０１で入力された情報を保存する。
【０１３６】
以上、説明したように、本発明によれば、ＩＤ番号に応じて、スキャン画像の登録先となる文書管理システムのフォルダを動的に変えることができるという効果を奏する。
【０１３７】
（その他の実施例）
なお、上述したような本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１３８】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１３９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１４０】
その場合、プログラムの機能を有していれば、オブジェクトコード、インタプリタにより実行されるプログラム、ＯＳに供給するスクリプトデータ等の形態であっても良い。
【０１４１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１４２】
その他、プログラムの供給方法としては、コンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるサーバも、本発明に含まれるものである。
【０１４３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１４４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１４５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１４６】
【図１】システム構成図
【図２】システムブロック図
【図３】基本操作フロー図
【図４】テンプレート作成処理フロー図
【図５】ワークシート作成処理フロー図
【図６】フォーム登録処理フロー図
【図７】エリア登録処理フロー図
【図８】入力起動ボタン設定処理フロー図
【図９】入力起動ボタン処理フロー図
【図１０】インデクシング処理フロー図
【図１１】リリース処理フロー図
【図１２】ジョブ作成処理フロー図
【図１３】ジョブ実行処理フロー図
【図１４】拡張されたデバイス制御部のブロック図
【図１５】拡張された文書管理システム制御部のブロック図
【図１６】リリース処理部詳細フロー図
【図１７】自動文書処理フロー図
【図１８】振り分け設定登録図
【図１】
2006190081.tif 000003
【図２】
2006190081.tif 000004
【図３】
2006190081.tif 000005
【図４】
2006190081.tif 000006
【図５】
2006190081.tif 000007
【図６】
2006190081.tif 000008
【図７】
2006190081.tif 000009
【図８】
2006190081.tif 000010
【図９】
2006190081.tif 000011
【図１０】
2006190081.tif 000012
【図１１】
2006190081.tif 000013
【図１２】
2006190081.tif 000014
【図１３】
2006190081.tif 000015
【図１４】
2006190081.tif 000016
【図１５】
2006190081.tif 000017
【図１６】
2006190081.tif 000018
【図１７】
2006190081.tif 000019
【図１８】
2006190081.tif 000020